【手続補正書】
【提出日】平成19年12月18日(2007.12.18)
【手続補正１】
【補正対象書類名】特許請求の範囲
【補正対象項目名】全文
【補正方法】変更
【補正の内容】
【特許請求の範囲】
【請求項１】
高品質で遅延の少ないデジタル化されたオーディオ情報の伝送方法であり、特にオーディオピックアップ（マイクロフォン）および／または再生パスにおけるデジタル化されたオーディオ情報の伝送方法であって、
チャンネルフィルタが高周波数伝送スペクトルを形成するために使用され、
約１００ｋＨｚから３００ｋＨｚの有効帯域幅の第１のレンジにおいてスペクトルが減衰せず、上記第１のレンジの外側のレンジにおいて、特に好ましくは６０ｄＢを超えるか、または８０ｄＢを超えるストップバンド減衰を有する（図１３）ことを特徴とする方法。
【請求項２】
請求項１に記載の特性を追加的に含む高品質で遅延の少ないデジタル化されたオーディオ情報の伝送方法であり、特にオーディオピックアップ（マイクロフォン）および／または再生パスにおけるデジタル化されたオーディオ情報の伝送方法であって、
上記オーディオ情報がブロックで処理され、上記オーディオ帯域幅（ＨＦ）が符号レート（Ｆsym）に比例することを特徴とする方法。
【請求項３】
請求項１に記載の方法であって、上記方法においてどのオーディオデータ圧縮も使用されないことを特徴とする方法。
【請求項４】
請求項２に記載の方法であって、約１５０ｋＨｚから２５０ｋＨｚの帯域幅（またはそのレンジの値に含まれる値）をもつ上記符号レートが、典型的にはおおよそ１３０ｋＨｚと２２０ｋＨｚとの間のレンジ、好ましくは１５０ｋＨｚであり、パルス形状ロールオフ係数（α）が、典型的には０．１と０．５との間の範囲、好ましくは０．３であり、上記帯域幅が以下の式にしたがって計算されることを特徴とする方法。
ＢＷ＝（１＋α）・ｆsym
【請求項５】
特に請求項１から請求項４のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
高品位変調方式がオーディオ情報の伝送用に使用され、その変調方式の中で、１つの変調符号の中に複数のビットが組み込まれ、伝送され、
その帯域幅は、好ましくは１ビットから８ビットまでのレンジにある変調値Ｍ、特にＭ＝４ビットのレンジに反比例し、上記帯域幅は、好ましくは約１３０ｋｂｉｔ／ｓと１４８０ｋｂｉｔ／ｓの間のレンジにある符号化されたビットレート、好ましくは６００ｋｂｉｔ／ｓにも比例し、上記符号の供給は２Mであり１から２５６までのレンジにあることを特徴とする方法。
【請求項６】
特に請求項１から請求項５のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
上記帯域幅が上記符号レートに対して反比例し、
上記符号レートが、好ましくは１／２以上かつ１以下であって、好ましくは、上記符号レートは、値０．７５に相当し、上記帯域幅も、非符号化ビットレート（ｆuncoded）に比例し、
上記非符号化ビットレートが好ましくは６４ｋｂｉｔ／ｓ以上かつ１４８０ｋｂｉｔ／ｓ以下であり、特に４５０ｋｂｉｔ／ｓの値であると仮定することを特徴とする方法。
【請求項７】
特に請求項１から請求項６のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
どのオーディオデータ圧縮も使用されず、上記オーディオデータがブロックで処理され、上記帯域幅が符号出力長（Ｃout）および上記符号値Ｍの指数を記述する因子ｋに比例し、
ｋが好ましくは値１と推定されるけれども、ｎが自然数であるレンジ１／ｎ；．．．；１／２または１、２、．．．ｎ、からの値からも構成できることを特徴とする方法。
【請求項８】
高品質で遅延の少ないデジタルオーディオ情報の伝送のための、特に請求項１から請求項７のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
どのオーディオデータ圧縮も使用されず、上記オーディオデータ圧縮はブロックで処理され、
上記帯域幅は、好ましくは４３ｋｂｉｔ／ｓと１４８０ｋｂｉｔ／ｓとの間の範囲、好ましくは約４００ｋｂｉｔ／ｓのオーディオデータレートに比例し、上記帯域幅は、１より大きく１．５未満の、好ましくは値１．１２５のフレームレートにも比例することを特徴とする方法。
【請求項９】
高品質で遅延の少ないデジタルオーディオ情報の伝送用の特に請求項１から請求項８のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
どのオーディオデータ圧縮も使用されず、上記オーディオデータはブロックで処理され、上記オーディオデータはＰＣＭ解像度ＮでＰＣＭ符号化されるようになっており、
Ｎは好ましくは１２以上２４以下、例えば１６であって、オーディオサンプリングレートｆsが約１．８ｋＨｚ以上かつ１２４ｋＨｚ以下、好ましくは約２５ｋＨｚであることを特徴とする方法。
【請求項１０】
特に請求項１から請求項９のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
どのオーディオデータ圧縮も使用されず、上記オーディオデータはブロックで処理され、
符号化後の上記オーディオデータがポインティング、好ましくは可変ポインティングするようになっており、処理される上記データに適応し、符号化されたデータの受信の際の上記ポインティングが、復号化操作の前に、相応に反転されることを特徴とする方法。
【請求項１１】
高品質で遅延の少ないデジタルオーディオデータを伝送するための特に請求項１から請求項１０のうち１つに記載の高品質で遅延の少ないデジタル化されたオーディオ情報の伝送方法であり、特にオーディオピックアップ（マイクロフォン）および／または再生パスにおけるデジタル化されたオーディオ情報の伝送方法であって、
上記デジタルオーディオデータが、送信側においてフレームに分解され、
各フレームがＲuncodedビットのフレーム長からなり、
上記フレームはビット長Ｎのサンプリング値（サンプル）の整数を含み、誤り認識または誤り訂正用のＥビットが設けられ、Ｓビットは同期化のために使用され、Ａビットは他の目的のために使用され、上記フレームは１以上のチャンネルコーダーにより拡張され、０．５と１との間のレンジで全体の符号レートをＲcoded＝Ｒcoded／Ｃビットのフレーム長に適用することにより拡張され、Ｒcodedは符号長Ｍの複数の整数であり、
Ｒuncodedの値は２０ビットから５００ビットの間のレンジの値であり、Ｒcodedの値は２０ビットから２００ビットの間のレンジの値であることを特徴とする方法。
【請求項１２】
請求項１から請求項１１のうち１つに記載の方法を実施するのに使用される、デジタル化されたオーディオ情報を伝送する装置であって、
好ましくは、ＨＦスペクトルを形成するチャンネルフィルタが、伝送パス（図１３）として使用され、搬送波の中央に対して約１００ｋＨｚから３００ｋＨｚの間隔で６０ｄＢを超えるストップバンド減衰を有することを特徴とする装置。
【請求項１３】
請求項１から請求項１１のいずれか１つに記載の方法であって、上記変調符号が大きさおよび／または位相の点で異なることを特徴とする方法。
【請求項１４】
請求項１から請求項１１と請求項１３のいずれか１つに記載の方法であって、送信機の中で、フレーム生成、チャンネル符号化、符号生成器、そして、受信機の中で、符号復号化、チャンネル復号化、およびフレーム分解が、上記データを分類して、種々の妥当性ステージ、最も低い妥当性ステージおよび／または最も高い妥当性ステージから始めて各々のより高い／より低いステージまでにしたがって伝送されるように設計されることを特徴とする方法。
【請求項１５】
請求項１４に記載の方法であって、上記種々の妥当性ステージが互いに別に、独立して処理できることを特徴とする方法。
【請求項１６】
請求項１から請求項１１と請求項１３から請求項１５の１つに記載の方法であって、送信側の符号生成器において、より安全性の高いビット位置をもつ高い妥当性を有するデータの関連性が、より安全でないビット位置をもつ低い妥当性により達成されることを特徴とする方法。
【請求項１７】
請求項１から請求項１１と請求項１３から請求項１６の１つに記載の方法であって、送信側において、複数のアンテナまたはアンテナセグメントが高周波数（ＨＦ）信号の発信のために使用または設けられ、その時点で最適なそれらのアンテナまたはアンテナセグメントが好ましくは発信用に使用されることを特徴とする方法。
【請求項１８】
請求項１から請求項１１と請求項１３から請求項１７の１つに記載の方法であって、受信された信号が、一定周波数のクロックで動作し、複数のベースバンドナイキストレートに対応するサンプリングレートで動作するＡ／Ｄ変換器によりデジタル化され、実際の符号レートは別々の独立した装置で回復され、実際の符号は補間回路で計算され、信号処理は伝送クロックと非同期関係で達成され、正確な伝送クロックとの同期は、信号処理チェーンの端部でのみ達成されることを特徴とする方法。
【請求項１９】
請求項１から請求項１１と請求項１３から請求項１８の１つに記載の方法であって、１以上の受信パスが受信側に設けられ、符号デコーダの中で、別の情報の項目が、各受信パスの符号の歪みおよび／または受信フィールド強度から得られ、チャンネルデコーダの中の入力情報が全ての受信パスからの成分を含むことを特徴とする方法。
【請求項２０】
請求項１から請求項１１と請求項１３から請求項１９の１つに記載の方法であって、誤り位置に関するどの正確な情報も好ましくは保有しないアルゴリズムが、残差を隠すために使用されることを特徴とする方法。
【請求項２１】
請求項２０に記載の方法であって、上記隠すアルゴリズムからのデータが、伝送されたデータフレームに欠陥があると認識されたときのみ使用されることを特徴とする方法。
【請求項２２】
請求項１から請求項１１と請求項１３から請求項２１の１つに記載の方法であって、連続、非線形特性が、少なくとも２つのセグメントを含むソースの符号化として使用され、第１の上記セグメントは線形であって、第２の（および／または全ての他の）上記セグメントは非線形であることを特徴とする方法。
【請求項２３】
請求項２２に記載の方法であって、図４の逆の特性が対応する受信装置に使用されることを特徴とする方法。
【請求項２４】
アナログ入力回路を備えた請求項１から請求項１１と請求項１３から請求項２３の１つに記載の方法であって、調整できる入力増幅器、過駆動を防ぐ制限装置、ワード幅Ｋのデジタル化装置、および非線形特性を計算する計算装置を備え、正の値に関する上記非線形特性が、少なくとも２つのセグメントを含み、低入力値（１２０）のセグメントが線形であり、セグメント（１２１）が非線形であり、曲線への接線がセグメント間の交差に両側から接近するとき、上記曲線への接線が一致するように、セグメント間の交差が設計され、負の入力値（１２２、１２３）の特性が、対応する正の入力値に対して対称的構成から成り、上記非線形特性の出力ワード幅Ｌは、上記デジタル化装置の上記ワード幅より狭いことを特徴とする方法。
【請求項２５】
請求項２４に記載の方法であって、マイクロフォンが上記入力回路に直接接続されるか、またはマイクロフォンが、上記入力回路にプラグで接続されるか、アナログの高レベル信号が接続されることを特徴とする方法。
【請求項２６】
請求項２４又は請求項２５に記載の方法であって、上記入力回路がデジタル入力を交互に選択するために切り換えスイッチング手段を含むことを特徴とする方法。
【請求項２７】
請求項２４、請求項２５、および請求項２６の１つに記載の方法であって、上記第１のセグメント（１２０または１２２）の傾きが１に等しくないことを特徴とする方法。
【請求項２８】
請求項１から請求項１１と請求項１３から請求項２７の１つに記載の方法であって、上記正弦手段が既にデジタル化装置の中に含まれていることを特徴とする方法。
【請求項２９】
請求項１から請求項１１と請求項１３から請求項２８の１つに記載の方法であって、フレーム長、チャンネルコーダー、および変調符号のワード幅が互いに独立して選択され、上記フレーム長が、サンプリング値のワード幅の整数倍であり、フレーム長がチャンネルコーダーの入力ワード幅の整数倍であり、変調符号当たりのビットの数がチャンネルコーダーの出力ワード幅と等しく、必要な追加のデータがサンプリング値を省くことにより上記フレーム内に挿入されることを特徴とする方法。
【請求項３０】
請求項２９に記載の方法であって、変調符号当たりのビットの数またはその逆数が、上記チャンネルコーダーの出力ワード幅の整数倍であることを特徴とする方法。
【請求項３１】
請求項３０に記載の方法であって、複数のサブフレームが１つのフレームの中に組み合わされることを特徴とする方法。
【請求項３２】
請求項１から請求項１１と請求項１３から請求項３１のいずれか１つに記載の方法であって、追加のデータが、同期パターンおよび／またはチェックサムの形で上記フレーム内に組み込まれ、上記追加のデータビットの合計が上記サンプル値のワード幅の整数倍であることを特徴とする方法。
【請求項３３】
請求項１から請求項１１と請求項１３から請求項３２の１つに記載の方法であって、不快でない雑音が誤りを隠すためにオーディオ情報に組み合わされることを特徴とする方法。
【請求項３４】
請求項１から請求項１１と請求項１３から請求項３３の１つに記載の方法であって、オーディオ信号が１より多い出力で出力され、各出力が、それ自体の隠すアルゴリズムにより処理できることを特徴とする方法。
【請求項３５】
請求項１から請求項１１と請求項１３から請求項３４の１つに記載の方法であって、オーディオ信号が１より多い出力で出力されて、必要とされる信号伝達情報が個々に各出力に混合されて、上記信号伝達情報が、与えられた動作状態を信号伝達して、上記信号伝達情報が、あらゆる種類の音響上の情報、特に音声、音の連続、または平文情報であってもよいことを特徴とする方法。
【請求項３６】
請求項１から請求項１１と請求項１３から請求項３５の１つに記載の方法であって、マイクロフォン信号に含まれるデジタルデータストリームが暗号化され、その暗号化されたデジタルデータストリームを復号するために、上記受信機内に対応する復号機が存在することを特徴とする方法。
【請求項３７】
請求項１から請求項１１と請求項１３から請求項３６の１つに記載の方法を実施するのに使用されるマイクロフォン、特にデジタルで実現された無線マイクロフォンであって、定められたオーディオ信号（例えば正弦波トーン、雑音等）がマイクロフォン側で生成され、マイクロフォン信号の代わりに出力されるテストモードにマイクロフォンがスイッチ切り替えできることを特徴とするマイクロフォン。
【請求項３８】
請求項３７に記載のマイクロフォンのためのマイクロフォン受信機、特に、デジタルで実現された無線マイクロフォン受信機であって、定められたオーディオ信号（例えば、正弦波トーン、雑音等）が生成され、上記受信機の出力で個別に出力できるテストモードにスイッチ切り替えできることを特徴とするマイクロフォン受信機。
【請求項３９】
請求項３７または請求項３８に記載のマイクロフォン、特にデジタルで実現された無線マイクロフォンであって、マイクロフォン側で定められた変調信号が既知の変調符号（例えばＰＲＢＳシーケンス、シーケンシャルシーケンス等）と共に発信されるテストモードにスイッチ切り替えできることを特徴とするマイクロフォン。
【請求項４０】
請求項１２に記載の装置であって、上記変調符号が大きさおよび／または位相の点で異なることを特徴とする装置。
【請求項４１】
請求項１２又は請求項４０に記載の装置であって、送信機の中で、フレーム生成、チャンネル符号化、符号生成器、そして、受信機の中で、符号復号化、チャンネル復号化、およびフレーム分解が、上記データを分類して、種々の妥当性ステージ、最も低い妥当性ステージおよび／または最も高い妥当性ステージから始めて各々のより高い／より低いステージまでにしたがって伝送されるように設計されることを特徴とする装置。
【請求項４２】
請求項４１に記載の装置であって、上記種々の妥当性ステージが互いに別に、独立して処理できることを特徴とする装置。
【請求項４３】
請求項１２と請求項４０から請求項４２の１つに記載の装置であって、送信側の符号生成器において、より安全性の高いビット位置をもつ高い妥当性を有するデータの関連性が、より安全でないビット位置をもつ低い妥当性により達成されることを特徴とする装置。
【請求項４４】
請求項１２と請求項４０から請求項４３の１つに記載の装置であって、送信側において、複数のアンテナまたはアンテナセグメントが高周波数（ＨＦ）信号の発信のために使用または設けられ、その時点で最適なそれらのアンテナまたはアンテナセグメントが好ましくは発信用に使用されることを特徴とする装置。
【請求項４５】
請求項１２と請求項４０から請求項４４の１つに記載の装置であって、受信された信号が、一定周波数のクロックで動作し、複数のベースバンドナイキストレートに対応するサンプリングレートで動作するＡ／Ｄ変換器によりデジタル化され、実際の符号レートは別々の独立した装置で回復され、実際の符号は補間回路で計算され、信号処理は伝送クロックと非同期関係で達成され、正確な伝送クロックとの同期は、信号処理チェーンの端部でのみ達成されることを特徴とする装置。
【請求項４６】
請求項１２と請求項４０から請求項４５の１つに記載の装置であって、１以上の受信パスが受信側に設けられ、符号デコーダの中で、別の情報の項目が、各受信パスの符号の歪みおよび／または受信フィールド強度から得られ、チャンネルデコーダの中の入力情報が全ての受信パスからの成分を含むことを特徴とする装置。
【請求項４７】
請求項１２と請求項４０から請求項４６の１つに記載の装置であって、誤り位置に関するどの正確な情報も好ましくは保有しないアルゴリズムが、残差を隠すために使用されることを特徴とする装置。
【請求項４８】
請求項４７に記載の装置であって、上記隠すアルゴリズムからのデータが、伝送されたデータフレームに欠陥があると認識されたときのみ使用されることを特徴とする装置。
【請求項４９】
請求項１２と請求項４０から請求項４８の１つに記載の装置であって、連続、非線形特性が、少なくとも２つのセグメントを含むソースの符号化として使用され、第１の上記セグメントは線形であって、第２の（および／または全ての他の）上記セグメントは非線形であることを特徴とする装置。
【請求項５０】
請求項４９に記載の装置であって、図４の逆の特性が対応する受信装置に使用されることを特徴とする装置。
【請求項５１】
アナログ入力回路を備えた請求項１２と請求項４０から請求項５０の１つに記載の装置であって、調整できる入力増幅器、過駆動を防ぐ制限装置、ワード幅Ｋのデジタル化装置、および非線形特性を計算する計算装置を備え、正の値に関する上記非線形特性が、少なくとも２つのセグメントを含み、低入力値（１２０）のセグメントが線形であり、セグメント（１２１）が非線形であり、曲線への接線がセグメント間の交差に両側から接近するとき、上記曲線への接線が一致するように、セグメント間の交差が設計され、負の入力値（１２２、１２３）の特性が、対応する正の入力値に対して対称的構成から成り、上記非線形特性の出力ワード幅Ｌは、上記デジタル化装置の上記ワード幅より狭いことを特徴とする装置。
【請求項５２】
請求項５１に記載の装置であって、マイクロフォンが上記入力回路に直接接続されるか、またはマイクロフォンが、上記入力回路にプラグで接続されるか、アナログの高レベル信号が接続されることを特徴とする装置。
【請求項５３】
請求項５１又は請求項５２に記載の装置であって、上記入力回路がデジタル入力を交互に選択するために切り換えスイッチング手段を含むことを特徴とする装置。
【請求項５４】
請求項５１、請求項５２、および請求項５３の１つに記載の装置であって、上記第１のセグメント（１２０または１２２）の傾きが１に等しくないことを特徴とする装置。
【請求項５５】
請求項１２と請求項４０から請求項５４の１つに記載の装置であって、上記正弦手段が既にデジタル化装置の中に含まれていることを特徴とする装置。
【請求項５６】
請求項１２と請求項４０から請求項５５の１つに記載の装置であって、フレーム長、チャンネルコーダー、および変調符号のワード幅が互いに独立して選択され、上記フレーム長が、サンプリング値のワード幅の整数倍であり、フレーム長がチャンネルコーダーの入力ワード幅の整数倍であり、変調符号当たりのビットの数がチャンネルコーダーの出力ワード幅と等しく、必要な追加のデータがサンプリング値を省くことにより上記フレーム内に挿入されることを特徴とする装置。
【請求項５７】
請求項５６に記載の装置であって、変調符号当たりのビットの数またはその逆数が、上記チャンネルコーダーの出力ワード幅の整数倍であることを特徴とする装置。
【請求項５８】
請求項５７に記載の装置であって、複数のサブフレームが１つのフレームの中に組み合わされることを特徴とする装置。
【請求項５９】
請求項１２と請求項４０から請求項５８のいずれか１つに記載の装置であって、追加のデータが、同期パターンおよび／またはチェックサムの形で上記フレーム内に組み込まれ、上記追加のデータビットの合計が上記サンプル値のワード幅の整数倍であることを特徴とする装置。
【請求項６０】
請求項１２と請求項４０から請求項５９の１つに記載の装置であって、不快でない雑音が誤りを隠すためにオーディオ情報に組み合わされることを特徴とする装置。
【請求項６１】
請求項１２と請求項４０から請求項６０の１つに記載の装置であって、オーディオ信号が１より多い出力で出力され、各出力が、それ自体の隠すアルゴリズムにより処理できることを特徴とする装置。
【請求項６２】
請求項１２と請求項４０から請求項６１の１つに記載の装置であって、オーディオ信号が１より多い出力で出力されて、必要とされる信号伝達情報が個々に各出力に混合されて、上記信号伝達情報が、与えられた動作状態を信号伝達して、上記信号伝達情報が、あらゆる種類の音響上の情報、特に音声、音の連続、または平文情報であってもよいことを特徴とする装置。
【請求項６３】
請求項１２と請求項４０から請求項６２の１つに記載の装置であって、マイクロフォン信号に含まれるデジタルデータストリームが暗号化され、その暗号化されたデジタルデータストリームを復号するために、上記受信機内に対応する復号機が存在することを特徴とする装置。